(57)【要約】【課題】ＰＯＳレジスタでの決済に際して電子マネーカードへの入金が行われたとしても、決済を短時間で済ませることができるようにする。【解決手段】店員が行う操作を受け付ける店員操作受付手段と、客が行うべき操作を受け付ける客操作受付手段と、１取引に対応する最初の商品を登録する操作が受け付けられてから、登録された商品の小計を指示する小計操作が受け付けられるまでの間において、電子マネー記憶媒体の入金残高管理に関連する処理を指示する操作を客操作受付手段が受け付けると、受け付けた指示に応じた電子マネー記憶媒体への処理を、リーダライタとの通信を介して実行する電子マネー記憶媒体対応処理手段とを備え、客操作受付手段は、店員操作受付手段により登録された商品に関する表示を行うとともに、電子マネー記憶媒体の入金残高管理に関連する処理を指示する操作を受け付けるようにする。【選択図】図１２
2019160333.tif 000002
【特許請求の範囲】
【請求項１】
商品の登録に関する操作を含み、店員が行う操作を受け付ける店員操作受付手段と、
登録された商品の決済に関連する操作を含み、客が行うべき操作を受け付ける客操作受付手段と、
前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段とを備え、
前記客操作受付手段は、
前記店員操作受付手段により登録された商品に関する表示を行うとともに、電子マネー記憶媒体の入金残高管理に関連する処理を指示する操作を受け付けるようにされた商品登録状況表示手段をさらに備える
ＰＯＳレジスタ。
【請求項２】
前記電子マネー記憶媒体対応処理手段は、
前記店員操作受付手段によって、１取引に対応する最初の商品を登録する操作が受け付けられてから、登録された商品の小計を指示する小計操作が受け付けられるまでの間において、客が行う前記電子マネー記憶媒体への入金を指示する操作を前記客操作受付手段が受け付けると、前記電子マネー記憶媒体への入金に応じた処理をリーダライタとの通信を介して実行する
請求項１に記載のＰＯＳレジスタ。
【請求項３】
前記電子マネー記憶媒体対応処理手段は、
前記店員操作受付手段によって、１取引に対応する最初の商品を登録する操作が受け付けられてから、登録された商品の小計を指示する小計操作が受け付けられるまでの間において、客が行う前記電子マネー記憶媒体における入金金額の残高の確認を指示する操作を前記客操作受付手段が受け付けると、電子マネー記憶媒体の入金残高を客に通知する処理をリーダライタとの通信を介して実行する
請求項１または２に記載のＰＯＳレジスタ。
【請求項４】
前記客操作受付手段は、
前記店員操作受付手段によって、１取引に対応する最初の商品を登録する操作が受け付けられてから、登録された商品の小計を指示する小計操作が受け付けられるまでの間において、少なくとも電子マネー記憶媒体への入金が行われた場合には、電子マネーによる決済を指定する操作を受け付けることなく、前記電子マネー記憶媒体に対応する決済処理を行う
請求項１から３のいずれか一項に記載のＰＯＳレジスタ。
【請求項５】
前記登録された商品の代金としての現金の入金が行われると、入金された現金に対応する現金対応決済処理を行い、電子マネーによる決済を指定する操作が前記客操作受付手段によって受け付けられると、リーダライタと通信を行う電子マネー記憶媒体の入金残高から代金を差し引く電子マネー対応決済処理を行う決済手段をさらに備える
請求項１から４のいずれか一項に記載のＰＯＳレジスタ。
【請求項６】
コンピュータを、
商品の登録に関する操作を含み、店員が行う操作を受け付ける店員操作受付手段、
登録された商品の決済に関連する操作を含み、客が行うべき操作を受け付ける客操作受付手段、
前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段として機能させるためのプログラムであって、
前記客操作受付手段は、
前記店員操作受付手段により登録された商品に関する表示を行うとともに、電子マネー記憶媒体の入金残高管理に関連する処理を指示する操作を受け付けるようにされた商品登録状況表示手段をさらに備える
プログラム。
【請求項７】
ＰＯＳレジスタにおける電子マネー記憶媒体の処理方法であって、
商品の登録に関する操作を含み、店員が行う操作を受け付ける店員操作受付ステップと、
登録された商品の決済に関連する操作を含み、客が行うべき操作を受け付ける客操作受付ステップと、
前記店員操作受付ステップによって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付ステップが受け付けると、前記客操作受付ステップが受け付けた指示に応じた電子マネー記憶媒体への処理を、リーダライタとの通信を介して実行する電子マネー記憶媒体対応処理ステップとを備え、
前記客操作受付ステップは、
前記店員操作受付ステップにより登録された商品に関する表示を行うとともに、電子マネー記憶媒体の入金残高管理に関連する処理を指示する操作を受け付けるようにされた商品登録状況ステップをさらに含む
電子マネー記憶媒体の処理方法。
【発明の詳細な説明】
【技術分野】
【０００１】
本発明は、ＰＯＳレジスタ、プログラム、及び電子マネー記憶媒体の処理方法に関する。
【背景技術】
【０００２】
店員（キャッシャ）が商品コードの入力、取引金額の確定などの商品の登録に関する操作を行うキャッシャ側入力部と、客が決済に関する操作を行う客側入力部とを備えたＰＯＳレジスタが知られている（例えば、特許文献１参照）。このようなＰＯＳレジスタは、店員と客とがＰＯＳレジスタをはさんで対面するような位置関係となることから、対面型とも呼ばれる。
【先行技術文献】
【特許文献】
【０００３】
【特許文献１】特開２００９−１０４５５３号公報
【発明の概要】
【発明が解決しようとする課題】
【０００４】
電子マネーカードが広く普及している。電子マネーカードは、客が予め入金（チャージ）を行っておき、代金の支払い（決済）の際に入金された金額から代金を差し引くようにして使用される。このような電子マネーカードによる支払いは、例えば客が財布から現金を出して店員に渡す必要が無く、店員も釣銭などを釣銭機から取り出して客に渡す必要がない。このために、会計に要する時間が短縮されるという利点がある。
【０００５】
しかし、例えば電子マネーカードを使用して決済を行おうとしたときに、客が電子マネーカードの入金残高が代金に満たないことに気付いたり、代金を支払えるだけの電子マネーカードの入金残高があるかどうか記憶が確かでなかったりするような場合がある。
このような場合において、電子マネーカードを使用して決済を行いたければ、客は、店員に、電子マネーカードの入金残高を確認してもらったうえで、入金残高が不足していれば電子マネーカードへの入金を行ってもらう。そのうえで、代金以上の入金残高を有する電子マネーカードを使用して決済を行うことになる。
上記のような電子マネーカードの入金残高確認や電子マネーカードへの入金などの、電子マネーカードの入金残高管理に関連する処理に際しては、客が店員に電子マネーカードの入金残高管理に関連する処理の申し出を行う。そして、客の買い上げ商品の登録処理等を行っている店員は、客からの申し出に応じて、電子マネーカードの入金残高管理に関連する処理の実行または受付等の操作を行うことになる。この場合、店員は、現在行っている商品の登録処理等の作業を一旦中断（保留）して、客が所望する残高確認や入金に関わる操作を行うことになる。そして、店員は、入金残高管理に関連する処理が終わると一旦中断（保留）した商品の登録処理等の作業を再開する。このような状況は、店員にとっては、会計中に電子マネーカードの入金残高管理に関連する処理に応じた操作等を行う手間と時間が生じることになるため、客との取引の完了までの時間が遅延することになる。
【０００６】
本発明は、このような事情に鑑みてなされたもので、ＰＯＳレジスタでの決済に際して電子マネーカードの入金残高管理に関連する処理が必要な場合においても、取引完了までに要する時間を短縮させることができるようにすることを目的とする。
【課題を解決するための手段】
【０００７】
上記した課題を解決するための本発明の一態様は商品の登録に関する操作を含み、店員が行う操作を受け付ける店員操作受付手段と、登録された商品の決済に関連する操作を含み、客が行うべき操作を受け付ける客操作受付手段と、前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段とを備え、前記客操作受付手段は、前記店員操作受付手段により登録された商品に関する表示を行うとともに、電子マネー記憶媒体の入金残高管理に関連する処理を指示する操作を受け付けるようにされた商品登録状況表示手段をさらに備えるＰＯＳレジスタである。
【０００８】
また、本発明の一態様は、上記のＰＯＳレジスタであり、前記電子マネー記憶媒体対応処理手段は、前記店員操作受付手段によって、１取引に対応する最初の商品を登録する操作が受け付けられてから、登録された商品の小計を指示する小計操作が受け付けられるまでの間において、客が行う前記電子マネー記憶媒体への入金を指示する操作を前記客操作受付手段が受け付けると、前記電子マネー記憶媒体への入金に応じた処理をリーダライタとの通信を介して実行してもよい。
【０００９】
また、本発明の一態様は、上記のＰＯＳレジスタであり、前記電子マネー記憶媒体対応処理手段は、前記店員操作受付手段によって、１取引に対応する最初の商品を登録する操作が受け付けられてから、登録された商品の小計を指示する小計操作が受け付けられるまでの間において、客が行う前記電子マネー記憶媒体における入金金額の残高の確認を指示する操作を前記客操作受付手段が受け付けると、電子マネー記憶媒体の入金残高を客に通知する処理をリーダライタとの通信を介して実行してもよい。
【００１０】
また、本発明の一態様は、上記のＰＯＳレジスタであり、前記客操作受付手段は、前記店員操作受付手段によって、１取引に対応する最初の商品を登録する操作が受け付けられてから、登録された商品の小計を指示する小計操作が受け付けられるまでの間において、少なくとも電子マネー記憶媒体への入金が行われた場合には、電子マネーによる決済を指定する操作を受け付けることなく、前記電子マネー記憶媒体に対応する決済処理を行ってもよい。
【００１１】
また、本発明の一態様は、上記のＰＯＳレジスタであり、前記登録された商品の代金としての現金の入金が行われると、入金された現金に対応する現金対応決済処理を行い、電子マネーによる決済を指定する操作が前記客操作受付手段によって受け付けられると、リーダライタと通信を行う電子マネー記憶媒体の入金残高から代金を差し引く電子マネー対応決済処理を行う決済手段をさらに備えてもよい。
また、本発明の一態様は、コンピュータを、商品の登録に関する操作を含み、店員が行う操作を受け付ける店員操作受付手段、登録された商品の決済に関連する操作を含み、客が行うべき操作を受け付ける客操作受付手段、前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段として機能させるためのプログラムであって、前記客操作受付手段は、前記店員操作受付手段により登録された商品に関する表示を行うとともに、電子マネー記憶媒体の入金残高管理に関連する処理を指示する操作を受け付けるようにされた商品登録状況表示手段をさらに備えるプログラムである。
また、本発明の一態様は、ＰＯＳレジスタにおける電子マネー記憶媒体の処理方法であって、商品の登録に関する操作を含み、店員が行う操作を受け付ける店員操作受付ステップと、登録された商品の決済に関連する操作を含み、客が行うべき操作を受け付ける客操作受付ステップと、前記店員操作受付ステップによって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付ステップが受け付けると、前記客操作受付ステップが受け付けた指示に応じた電子マネー記憶媒体への処理を、リーダライタとの通信を介して実行する電子マネー記憶媒体対応処理ステップとを備え、前記客操作受付ステップは、前記店員操作受付ステップにより登録された商品に関する表示を行うとともに、電子マネー記憶媒体の入金残高管理に関連する処理を指示する操作を受け付けるようにされた商品登録状況ステップをさらに含む電子マネー記憶媒体の処理方法である。
【発明の効果】
【００１２】
以上説明したように、本発明によれば、ＰＯＳレジスタでの決済に際して電子マネーカードの入金残高管理に関連する処理が必要な場合においても、取引完了までに要する時間を短縮させることができるという効果が得られる。
【図面の簡単な説明】
【００１３】
【図１】本実施形態におけるＰＯＳレジスタを店員の立ち位置側（後方）からみた斜視図である。
【図２】本実施形態におけるＰＯＳレジスタを客の立ち位置側（前方）からみた斜視図である。
【図３】図１に示されるＰＯＳレジスタの部分を拡大して示す図である。
【図４】図２に示されるＰＯＳレジスタの部分を拡大して示す図である。
【図５】本実施形態におけるＰＯＳレジスタの構成例を示すブロック図である。
【図６】本実施形態における商品登録状況画面の一例を示す図である。
【図７】本実施形態における入金操作画面の一例を示す図である。
【図８】本実施形態における入金残高確認画面の一例を示す図である。
【図９】本実施形態における決済案内画面の一例を示す図である。
【図１０】本実施形態における電子マネーカード使用案内画面の一例を示す図である。
【図１１】本実施形態における電子マネー決済完了画面の一例を示す図である。
【図１２】本実施形態におけるＰＯＳレジスタが実行する処理手順例を示すフローチャートである。
【発明を実施するための形態】
【００１４】
以下、本発明の一実施形態としてのＰＯＳレジスタ（商品販売データ処理装置）について説明する。本実施形態のＰＯＳレジスタは、ＰＯＳレジスタを操作して商品を登録する店員とＰＯＳレジスタを操作して代金の支払いを行う客とが対面する状態となる対面型である。
まず、図１〜図４を参照して、本実施形態のＰＯＳレジスタの外観例について説明する。
図１は、本実施形態のＰＯＳレジスタ１００がカウンタ２００に設置された状態について、ＰＯＳレジスタ１００を操作する店員（オペレータ）の立ち位置側から見た斜視図である。
図２は、本実施形態のＰＯＳレジスタ１００がカウンタ２００に設置された状態について、客の立ち位置側から見た斜視図である。
図３は、図１に示されるＰＯＳレジスタ１００の部分を拡大して示す図である。
図４は、図２に示されるＰＯＳレジスタ１００の部分を拡大して示す図である。
【００１５】
なお、以降においては、ＰＯＳレジスタ１００に対する客の立ち位置側をＰＯＳレジスタ１００の前側とし、ＰＯＳレジスタ１００に対する店員の立ち位置側をＰＯＳレジスタ１００の後側として説明する場合がある。
【００１６】
図１〜図４に示すように、本実施形態のＰＯＳレジスタ１００は、釣銭機ユニット１０１、操作ユニット１０３、ＰＯＳレジスタ本体部１０５、プリンタ１０７、スキャナ１０８及びリーダライタ１０９を備える。なお、リーダライタ１０９は、図１〜図３における図示が煩雑にならないようにする便宜上、図４においてのみ示されている。
【００１７】
釣銭機ユニット１０１は、貨幣投入排出部１２１ａを有する釣銭機と、筐体１１０とを有する。釣銭機は、客が決済を行うのに使用される。筐体１１０には、貨幣投入排出部１２１ａが前側面に表出した状態で釣銭機が収納される。
【００１８】
また、筐体１１０は、載置板に載置可能な構造を有する。筐体１１０を載置板に載置可能な構造としては、例えば筐体１１０を載置板に置いた場合に、筐体１１０が安定して載置板上で位置することのできるような筐体１１０の底面の形状を有することである。なお、例えば筐体１１０の底面における４つの角部にゴム足などのようなものが設けられた構成も、筐体１１０を載置板に載置可能な構造である。
上記各図の場合、筐体１１０が載置される載置板は、カウンタ２００のテーブル２０３である。
【００１９】
貨幣投入排出部１２１ａは、客が例えば代金の支払いと釣銭の受け取りに使用する部位である。貨幣投入排出部１２１ａには、紙幣投入口、硬貨投入口、紙幣排出口、硬貨排出口が備えられている。
【００２０】
操作ユニット１０３は、店員が操作に用いる店員用タッチパネル表示部１３１とキーボード１３２とを備える。
店員用タッチパネル表示部１３１とキーボード１３２は、図示するように、操作が行われる部位が店員の立ち位置のほうに向くように設置される。つまり、店員用タッチパネル表示部１３１とキーボード１３２は、ＰＯＳレジスタ１００の後側に位置する店員により操作が行えるようにされた向きで配置される。
また、操作ユニット１０３は、客用タッチパネル表示部１３３を備える。客用タッチパネル表示部１３３は、商品登録の内容や会計に関する情報などを客に向けて表示するとともに、客が決済に関する操作を行う部位である。客用タッチパネル表示部１３３は、同図に示すように、客の立ち位置側（前側）に画面が向くように配置される。
【００２１】
操作ユニット１０３は、上記の店員用タッチパネル表示部１３１、キーボード１３２及び客用タッチパネル表示部１３３がユニット化（一体化）されて構成される。そして、このようにユニット化された操作ユニット１０３は、筐体１１０の上面に取り付けられる。
この際、操作ユニット１０３は、例えば上記各図において示されない所定の部位にてネジ止めされることによって筐体１１０に対して固定される。
【００２２】
また、操作ユニット１０３は、筐体１１０の上面の前方寄りに配置される。これにより、図３に示すように、筐体１１０の上面の後方側には一定以上の面積の何も配置されない面部、即ち、物品載置面部１１５が形成される。物品載置面部１１５は、例えば店員が商品登録の対象とする商品やスキャナ１０８などをはじめとする物品を置く場所として使用される。
【００２３】
ＰＯＳレジスタ本体部１０５は、ＰＯＳレジスタ１００の中枢となるユニットであり、店員用タッチパネル表示部１３１またはキーボード１３２に対して行われた操作に応じて商品登録や決済に関する各種処理などを実行する。
【００２４】
ＰＯＳレジスタ本体部１０５は、釣銭機ユニット１０１における釣銭機の動作の制御を実行する。またＰＯＳレジスタ本体部１０５は、スキャナ１０８が読み取ったバーコードに基づくコードデータを利用して商品登録を行うことができる。また、ＰＯＳレジスタ本体部１０５は、プリンタ１０７を制御して、レシートなどを印刷させることができる。
【００２５】
ＰＯＳレジスタ本体部１０５は、例えば図１に示されるように、カウンタ２００の台部２０１における店員の立ち位置側に設けられた棚間に設置される。即ち、ＰＯＳレジスタ本体部１０５は、客からは見えず、また、店員にとって邪魔にならないような場所に設置される。
【００２６】
また、ＰＯＳレジスタ本体部１０５と釣銭機ユニット１０１における釣銭機とはケーブルを介して通信可能に接続される。また、ＰＯＳレジスタ本体部１０５と操作ユニット１０３とについてもケーブルを介して通信可能に接続される。
図１及び図３においては、筐体１１０における後方側面から、ケーブルＣＢＬが引き出された状態が示されている。ここでのケーブルＣＢＬは、釣銭機ユニット１０１とＰＯＳレジスタ本体部１０５とを接続するケーブルと、操作ユニット１０３とＰＯＳレジスタ本体部１０５とを接続するケーブルとをまとめて示したものである。
また、プリンタ１０７もケーブルによってＰＯＳレジスタ本体部１０５と接続されればよい。また、スキャナ１０８もケーブルによってＰＯＳレジスタ本体部１０５と接続されればよい。プリンタ１０７とＰＯＳレジスタ本体部１０５とを接続するケーブルと、スキャナ１０８とＰＯＳレジスタ本体部１０５とを接続するケーブルも、ケーブルＣＢＬに含まれるようにまとめられればよい。
そして、図１及び図３に示されるように、筐体１１０における後方側面から引き出されたケーブルＣＢＬは、カウンタ２００の店員の立ち位置側においてＰＯＳレジスタ本体部１０５と接続される。このように、釣銭機ユニット１０１及び操作ユニット１０３側とＰＯＳレジスタ本体部１０５とを接続するケーブルＣＢＬも、客からは見えない状態で引き回しが行われる。
なお、釣銭機、操作ユニット１０３などのうちの少なくともいずれか１つとＰＯＳレジスタ本体部１０５との通信は、ケーブルに代えて無線によって行われるように構成されてもよい。
【００２７】
プリンタ１０７は、前述のように、ＰＯＳレジスタ本体部１０５の制御に応じてレシートなどを印刷する。なお、プリンタ１０７により領収書なども印刷できるようにされてもよい。
【００２８】
店舗によっては、商品の情報（商品名、価格など）をバーコード化したバーコードを商品のパッケージに印刷したり、バーコードを印刷したラベルなどを商品に貼り付けたりして管理する場合がある。
スキャナ１０８は、このように商品に付されているバーコードを読み取ことによってコードデータを取得する。取得されたコードデータは、例えばＰＯＳレジスタ本体部１０５が入力する。ＰＯＳレジスタ本体部１０５は入力したコードデータを商品マスタなどのデータと照合して商品名、価格などを特定し、特定した商品名、価格などを利用して商品登録の処理を実行する。
【００２９】
リーダライタ１０９は、電子マネーカード３００としてのＩＣ（Integrated Circuit）カードと通信を行うことで、電子マネーカード３００に対応してデータの読み出しと書き込みを行うデバイスである。電子マネーカード３００は、例えば予め入金を行っておくようにされたうえで、代金の支払いに際しては、入金された金額から代金が差し引かれるようにして使用される。本実施形態において、リーダライタ１０９は、電子マネーカード３００と非接触により通信を行う。
【００３０】
リーダライタ１０９は、電子マネーカード３００から読み出されたデータをＰＯＳレジスタ本体部１０５に伝送する。ＰＯＳレジスタ本体部１０５は、伝送された電子マネーカード３００からの読み出しデータに応じた処理を実行するとともに、電子マネーカード３００に書き込むべきデータをリーダライタ１０９に出力する。リーダライタ１０９は、ＰＯＳレジスタ本体部１０５から伝送されたデータを通信相手の電子マネーカード３００に書き込む。
上記のようにしてリーダライタ１０９によって電子マネーカード３００に対するデータの読み出しと書き込みとが行われることで、本実施形態のＰＯＳレジスタ１００は、電子マネーカード３００を使用した代金の支払い（決済）に対応した会計処理を行うことができる。
【００３１】
図５は、ＰＯＳレジスタ１００の構成例を示すブロック図である。同図において、図１〜図４と同一部分には同一符号を付して説明を省略する。同図に示すように、ＰＯＳレジスタ１００は、図１〜図４により説明した釣銭機ユニット１０１、操作ユニット１０３、ＰＯＳレジスタ本体部１０５、プリンタ１０７、スキャナ１０８及びリーダライタ１０９を備えて構成される。
【００３２】
まず、ＰＯＳレジスタ本体部１０５の構成について説明する。同図に示すＰＯＳレジスタ本体部１０５は、ＣＰＵ（Central Processing Unit）１５１、ＲＡＭ（Random Access Memory）１５２、記憶部１５３、入出力部１５４及びネットワークインターフェース１５５を備える。ＣＰＵ１５１、ＲＡＭ１５２、記憶部１５３、入出力部１５４及びネットワークインターフェース１５５は、バス１５６により接続されている。
【００３３】
ＣＰＵ１５１は、記憶部１５３に記憶されるプログラムを実行することにより、ＰＯＳレジスタ１００としての各種機能を実現するための制御を実行する。
ＲＡＭ１５２は、ＣＰＵ１５１に対応する主記憶装置であり、ＣＰＵ１５１が処理を実行する際の作業領域として利用される。
記憶部１５３は、ＣＰＵ１５１に対応する補助記憶装置であり、ＣＰＵ１５１が利用する各種の情報を記憶する。
入出力部１５４は、ＰＯＳレジスタ１００を構成するＰＯＳレジスタ本体部１０５以外のユニット（釣銭機ユニット１０１、操作ユニット１０３）やデバイス（プリンタ１０７、スキャナ１０８、リーダライタ１０９）などとの間で、データあるいは信号の入出力を行う部位である。
ネットワークインターフェース１５５は、例えば店舗内のＬＡＮ（Local Area Network）を経由して、店舗内の他の装置（例えば、マスタ装置、他のＰＯＳレジスタ、店員の携帯端末など）と通信を実行する。例えばネットワーク経由でマスタ装置などと接続されることで、本実施形態のＰＯＳレジスタ１００は、ＰＯＳ（Point Of Sales）ＰＯＳレジスタとして機能させることができる。
【００３４】
釣銭機ユニット１０１における釣銭機１２０は、ＰＯＳレジスタ本体部１０５の入出力部１５４との間でデータまたは信号の入出力が可能なように接続される。
【００３５】
また、操作ユニット１０３は、店員用タッチパネル表示部１３１、キーボード１３２及び客用タッチパネル表示部１３３とともに、入出力部１３４を備える。
入出力部１３４は、操作ユニット１０３が備える店員用タッチパネル表示部１３１、キーボード１３２及び客用タッチパネル表示部１３３のそれぞれと、ＰＯＳレジスタ本体部１０５の入出力部１５４との間でのデータまたは信号の入出力を行う部位である。
【００３６】
また、同図においては、入出力部１３４に対して、操作ユニット１０３の外部のプリンタ１０７、スキャナ１０８及びリーダライタ１０９が接続された例が示されている。
即ち、同図に示す入出力部１３４は、プリンタ１０７とＰＯＳレジスタ本体部１０５の入出力部１５４との間でのデータまたは信号の入出力を行うようにされている。
また、入出力部１３４は、スキャナ１０８とＰＯＳレジスタ本体部１０５の入出力部１５４との間でのデータまたは信号の入出力を行うようにされている。
また、入出力部１３４は、リーダライタ１０９とＰＯＳレジスタ本体部１０５の入出力部１５４との間でのデータまたは信号の入出力を行うようにされている。
なお、プリンタ１０７、スキャナ１０８及びリーダライタ１０９の少なくともいずれかについて、操作ユニット１０３の入出力部１３４を経由することなく、ＰＯＳレジスタ本体部１０５の入出力部１５４と接続されるように構成されてもよい。
【００３７】
また、同図の釣銭機１２０とＰＯＳレジスタ本体部１０５の入出力部１５４とを接続するための通信線と、操作ユニット１０３の入出力部１３４とを接続するための通信線は、物理的には、図１に示したケーブルＣＢＬに含まれる。
【００３８】
上記のようにＰＯＳレジスタ本体部１０５の入出力部１５４が釣銭機１２０と接続されることで、ＰＯＳレジスタ本体部１０５のＣＰＵ１５１は、釣銭機１２０を制御することができる。
また、ＰＯＳレジスタ本体部１０５の入出力部１５４が操作ユニット１０３における入出力部１３４と接続されることで、ＰＯＳレジスタ本体部１０５のＣＰＵ１５１は、店員用タッチパネル表示部１３１またはキーボード１３２に対して行われた操作に応じた操作信号を入力し、操作に応答した所定の処理を実行することができる。また、ＣＰＵ１５１は、店員用タッチパネル表示部１３１と客用タッチパネル表示部１３３とに対する表示制御を実行することができる。
さらに、ＰＯＳレジスタ本体部１０５の入出力部１５４が操作ユニット１０３における入出力部１３４と接続されることで、ＣＰＵ１５１は、プリンタ１０７を制御することができる。また、ＣＰＵ１５１は、スキャナ１０８により読み取られたバーコードに対応するコードデータを入力することができる。また、ＣＰＵ１５１は、リーダライタ１０９により電子マネーカード３００から読み取られたデータを入力し、リーダライタ１０９により電子マネーカード３００にデータを書き込むことができるように制御できる。
【００３９】
図１〜図５により説明した構成を有するＰＯＳレジスタ１００の店舗での基本的な使用例について説明する。なお、ここでの説明は、ＰＯＳレジスタ１００の設置される店舗がベーカリーショップ（パン屋）である場合を例に挙げる。
ベーカリーショップで、客は、陳列されているパンのうちから購入したいパンを選んでトレーに載せる。客は、選んだパンを購入するために、パンが載せられたトレーを持ってＰＯＳレジスタ１００が設置されたカウンタの前まで移動する。このとき、客は、貨幣投入排出部１２１ａが向いているＰＯＳレジスタ１００の前方側で立つことになる。そして、客は、購入対象のパンが載せられたトレーを、ＰＯＳレジスタ１００の後方にいる店員に渡す。
【００４０】
店員は、トレーに乗せられた商品を確認しながら操作ユニット１０３における店員用タッチパネル表示部１３１やキーボード１３２、またはスキャナ１０８などを操作して、商品の登録と、登録した商品の合計金額の算出をＰＯＳレジスタ１００に行わせる。このような操作に応じて、ＰＯＳレジスタ本体部１０５におけるＣＰＵ１５１は、商品登録の処理を実行する。また、ＣＰＵ１５１は、店員用タッチパネル表示部１３１に対して、登録した商品の内容や登録された商品の合計金額などを随時表示させるための制御を実行する。また、ＣＰＵ１５１は、客用タッチパネル表示部１３３に対しても、登録した商品の内容や登録された商品の合計金額などをはじめとして、客に提示すべき所定の内容を表示させる。
【００４１】
客は、合計金額を確認したうえで現金による代金の支払い（決済）を以下のように行うことができる。
客は、合計金額以上の金額の貨幣（紙幣、硬貨）を貨幣投入排出部１２１ａにおける紙幣投入口や硬貨投入口などから投入する。上記のように貨幣が投入されるのに応じて、釣銭機ユニット１０１における釣銭機１２０は、投入された貨幣の種別と、種別ごとの枚数を検出し、検出結果を示す投入貨幣情報をＰＯＳレジスタ本体部１０５に送信する。ＰＯＳレジスタ本体部１０５のＣＰＵ１５１は、受信された投入貨幣情報に基づいて、投入された貨幣の総額（預かり金）を算出する。
なお、釣銭機１２０が預かり金を算出し、算出した預かり金をＰＯＳレジスタ本体部１０５に送信するようにしてもよい。
【００４２】
ここで、算出された預かり金が合計金額と等しければ、釣銭は不要である。そこで、この場合のＰＯＳレジスタ本体部１０５におけるＣＰＵ１５１は、釣銭機１２０から釣銭を排出させることなく、プリンタ１０７によりレシートが印刷されるように制御を実行する。
一方、算出された預かり金が合計金額より多い場合、ＰＯＳレジスタ本体部１０５におけるＣＰＵ１５１は、預かり金から合計金額を減算して釣銭の金額を算出する。そして、ＣＰＵ１５１は、算出された金額分の貨幣が貨幣投入排出部１２１ａにおける紙幣排出口、硬貨排出口から釣銭として排出されるように釣銭機１２０を制御する。客は、排出された貨幣を釣銭として受け取る。
なお、以降において、上記のように現金の決済に応じてＣＰＵ１５１が実行する処理については、現金対応決済処理とも呼ぶ。
【００４３】
また、客は、代金の支払い（決済）を、電子マネーカード３００（電子マネー記憶媒体の一例）を使用して行うこともできる。電子マネー記憶媒体は、電子マネーの入出（入金と支払い）機能を有する記憶媒体である。電子マネー記憶媒体には、例えばＲＦＩＤ（Radio Frequency IDentification）などが採用される。
なお、本実施形態における代金の支払いは、電子マネー記憶媒体としての機能を有するスマートフォン、携帯電話などによっても同様に行える。ただし、以降においては説明を分かりやすくするために、カード型式の電子マネー記憶媒体である電子マネーカード３００により支払いが行われる場合を例に説明する。
【００４４】
電子マネーカード３００を使用して代金を支払う場合、客は、例えば店員用タッチパネル表示部１３１に対して、代金の支払い方法として自分が電子マネーカード３００の使用を選択する操作（電子マネーカード使用選択操作）を行う。
ＣＰＵ１５１は、電子マネーカード使用選択操作に応じて、ＣＰＵ１５１は、電子マネーカード３００の使用に対応する決済処理（以降において、電子マネー対応決済処理とも呼ぶ）を実行する。
つまり、ＣＰＵ１５１は、客用タッチパネル表示部１３３において、電子マネーカード３００を使用した代金の支払いに対応する決済関連画面を表示させる。客は、表示された決済関連画面において提示される支払い金額などを確認し、リーダライタ１０９に電子マネーカード３００をかざし、リーダライタ１０９と電子マネーカード３００との間で通信を行わせる。
リーダライタ１０９は、電子マネーカード３００から例えば入金残高のデータなどの決済に必要なデータの読み出しを行い、読み出したデータをＣＰＵ１５１に出力する。ＣＰＵ１５１は、入力されたデータを利用した決済処理として、例えば入力されたデータが示す入金残高から小計金額を差し引く（減算する）。ＣＰＵ１５１は、小計金額を差し引いた後の入金残高の値を含む書き込みデータをリーダライタ１０９に出力する。
リーダライタ１０９は、入力された書き込みデータを電子マネーカード３００に書き込む。この結果、電子マネーカード３００における入金残高は、客が購入した商品の代金に応じて減少する。このようにして、電子マネーカード３００による代金の支払いが行われる。
【００４５】
このようにして本実施形態のＰＯＳレジスタ１００を利用することにより、客が購入するパンについての取引を、客と店員とで対面式で行うことができる。そのうえで、本実施形態のＰＯＳレジスタ１００の場合、代金の支払いと釣銭の受け取りは、客と貨幣投入排出部１２１ａとの間で行われ、店員と客との間で貨幣が手渡しされることはない。つまり、店員は、現金や電子マネーカード３００などを手に持って扱う必要がない。これにより、店員は現金や電子マネーカード３００を持った手でパンを持つことがなくなり、衛生面での向上が図られる。
【００４６】
そのうえで、本実施形態におけるＰＯＳレジスタ１００は、商品の登録に対応する客の取引が完了するまでの間、具体的には、最初の商品を登録する操作を受け付けてから登録された商品の小計を指示する小計操作を受け付けるまでの期間（商品登録期間）において、客の電子マネーカード３００への入金（チャージ）の操作を受け付けて入金処理を実行することができる。
即ち、本実施形態のＰＯＳレジスタによっては、店員が商品を登録する操作を行っているのと並行して、商品の登録を受けている客が電子マネーカード３００への入金を行うことができる。
店員による商品の登録と電子マネーカード３００への入金が同時並行で行われない場合において電子マネーカード３００への入金を行おうとする場合、客は、まず商品の登録が終了して小計が行われた後に店員に電子マネーカード３００への入金を申し出て電子マネーカード３００への入金を行ってもらう。この後に、客が入金が行われた電子マネーカード３００を使用して決済するという手順が踏まれる。この場合には、商品の登録と電子マネーカード３００を使用しての決済との間に電子マネーカード３００への入金が行われるために、会計が長引いてしまう。
これに対して、本実施形態では、商品の登録が行われている間に電子マネーカード３００への入金も行われることから、商品の登録が済んでから即座に電子マネーカード３００を使用した決済に移行できる。つまり、本実施形態によっては、会計に際して電子マネーカード３００への入金が行われたとしても、会計を短時間で済ませることが可能になる。
【００４７】
以下、本実施形態のＰＯＳレジスタ１００において、商品の登録が行われているときの電子マネーカード３００への入金を可能とするための構成について説明する。
まず、図６は、客用タッチパネル表示部１３３に表示される決済関連画面の１つであって、店員による商品の登録が行われているときに表示される商品登録状況画面の一例を示している。
同図の商品登録状況画面は商品の登録されている状況を示す画面である。商品登録状況画面においては、登録商品表示領域ＡＲ１と合計金額表示領域ＡＲ２とが配置されている。登録商品表示領域ＡＲ１と合計金額表示領域ＡＲ２とにより商品の登録されている状況が示される。
【００４８】
登録商品表示領域ＡＲ１においては、店員が登録を済ませた商品ごとの個数と金額とが表示される。例えば、登録商品表示領域ＡＲ１の内容は、新たに商品が登録されるごとに、登録された商品に対応した内容を示すように変化する。
合計金額表示領域ＡＲ２においては、現在までにおいて登録が行われた商品の個数、登録が行われた商品に対応する合計金額などが表示される。合計金額表示領域ＡＲ２の内容は、新たに商品が登録されるごとに、登録された商品に応じて、個数、合計金額が増加していくように変化する。
客は、登録商品表示領域ＡＲ１と合計金額表示領域ＡＲ２とにおいて表示される内容を見て、自分が購入した商品と商品の登録結果とに間違いがないかどうかを確認することができる。
【００４９】
また、商品登録状況画面においては、さらに、入金指示ボタンＢＴ１と、入金残高確認ボタンＢＴ２とが配置されている。
入金指示ボタンＢＴ１は、客が電子マネーカード３００への入金を指示するために操作するボタンである。また、入金残高確認ボタンＢＴ２は、客が電子マネーカード３００の入金残高の確認を指示するために操作するボタンである。
ここで、商品登録状況画面は、商品の登録が開始されてから小計金額が確定されるまでの間、即ち商品の登録が行われている間において表示される決済関連画面である。そして、入金指示ボタンＢＴ１と入金残高確認ボタンＢＴ２とは商品登録状況画面において配置されている。これにより、本実施形態においては、商品の登録が行われているときに、客が電子マネーカード３００への入金あるいは電子マネーカード３００の入金残高の確認のための操作が行えるようにしている。
【００５０】
ここで、商品の登録を受けている途中で客が電子マネーカード３００の入金金額が少なくなっていることに気付き、電子マネーカード３００に入金を行いたいと思った場合を例に挙げる。この場合、客は、商品の登録が行われている途中で、客用タッチパネル表示部１３３に表示されている商品登録状況画面において配置されている入金指示ボタンＢＴ１に対して指を触れさせるようにしてタッチ操作を行う。そして、客は、自分の所持する電子マネーカード３００をリーダライタ１０９にかざし、リーダライタ１０９と電子マネーカード３００との間での通信を行わせる。
上記のように入金指示ボタンＢＴ１に対するタッチ操作が行われ、リーダライタ１０９と電子マネーカード３００との間での通信が可能となると、客用タッチパネル表示部１３３は、商品登録状況画面から入金操作画面の表示に移行する。
【００５１】
図７は、客用タッチパネル表示部１３３に表示される入金操作画面の一例を示している。
同図の入金操作画面においては、入金残高表示領域ＡＲ１１が配置されている。入金残高表示領域ＡＲ１１においては、電子マネーカード３００の入金残高が示される。未だ入金が行われない段階の入金残高表示領域ＡＲ１１においては、入金前における電子マネーカード３００の入金残高が示される。同図では、入金前における電子マネーカード３００の入金残高として「１２０円」が表示されている例を示している。
【００５２】
また、入金操作画面においては、入金金額選択ボタンＢＴ１１、ＢＴ１２、ＢＴ１３及びＢＴ１４が配置される。入金金額選択ボタンＢＴ１１、ＢＴ１２、ＢＴ１３及びＢＴ１４は、それぞれ、電子マネーカード３００への入金金額を選択するボタンである。
電子マネーカード３００に入金を行おうとする客は、入金金額選択ボタンＢＴ１１、ＢＴ１２、ＢＴ１３及びＢＴ１４のうちから自分が入金したい金額が示されている入金金額選択ボタンに対するタッチ操作を行う。ＣＰＵ１５１は、タッチ操作が行われた入金金額選択ボタンに対応する金額を入金金額として設定する。
【００５３】
客は、入金金額選択ボタンに対するタッチ操作の後、電子マネーカード３００への入金のために、入金金額選択ボタンに対するタッチ操作により選択した入金金額に相当する現金を、貨幣投入排出部１２１ａにおける紙幣投入口または硬貨投入口に投入する。
一例として、客は、５０００円を入金したいと思った場合には入金金額選択ボタンＢＴ１２に対するタッチ操作を行う。そして、５０００円分の現金を、貨幣投入排出部１２１ａにおける紙幣投入口または硬貨投入口に投入する。
【００５４】
入金操作画面においては、入金金額表示領域ＡＲ１２が配置されている。入金金額表示領域ＡＲ１２には、客が入金した現金の金額が表示される。
入金金額表示領域ＡＲ１２において表示される金額は、入金操作画面の初期表示時においては０円を示す。そして、入金金額選択ボタンに対してタッチ操作が行われた後に、客により貨幣投入排出部１２１ａにおける紙幣投入口または硬貨投入口に現金が投入されると、投入された金額に応じて、入金金額表示領域ＡＲ１２に表示される金額が増加していく。この場合、投入された現金の金額が入金金額選択ボタンの操作に対応して選択された入金金額に到達すると、入金金額表示領域ＡＲ１２においては選択された入金金額を示し、例えば貨幣投入排出部１２１ａは、これ以上の現金の入金を受け付けない状態となる。
【００５５】
あるいは、入金金額表示領域ＡＲ１２においては、入金金額選択ボタンに対する操作に応じて、入金金額選択ボタンの操作に対応して選択された入金金額が提示されたうえで、客が貨幣投入排出部１２１ａに現金を投入していくのに応じて、入金残り金額（選択された入金金額から投入された金額を減算した金額）が示されるようにしてもよい。この場合、投入された現金の金額が入金金額選択ボタンの操作に対応して選択された入金金額に到達すると、入金金額表示領域ＡＲ１２においては０円を示し、例えば貨幣投入排出部１２１ａは、これ以上の現金の入金を受け付けない状態となる。
また、入金残高表示領域ＡＲ１１において示される入金残高についても、現金の入金に応じて増加していくようにされてよい。
【００５６】
なお、上記のような入金金額選択ボタンに対する操作と貨幣投入排出部１２１ａへの現金の投入に応じた、入金金額表示領域ＡＲ１２及び入金残高表示領域ＡＲ１１における表示は、ＣＰＵ１５１の制御によって行われる。
つまり、ＣＰＵ１５１は、入金金額選択ボタンに対する操作に応じた操作信号を客用タッチパネル表示部１３３から入力することで、入金金額を認識する。また、釣銭機１２０からＣＰＵ１５１に対しては、貨幣投入排出部１２１ａに投入された現金の金種と枚数を示す情報が送信される。ＣＰＵ１５１は、釣銭機１２０から受信した現金の金種と枚数に基づいて入金された現金を計算する。ＣＰＵ１５１は、認識した入金金額と、入金された現金の計算結果を利用して、入金金額表示領域ＡＲ１２と入金残高表示領域ＡＲ１１とのそれぞれにおける金額の表示を行うことができる。
【００５７】
そして、入金金額選択ボタンの操作によって選択された入金金額に応じた現金の入金が完了した段階では、入金残高表示領域ＡＲ１１においては、今回の入金前の電子マネーカード３００の入金残高に今回の入金金額が加算された入金金額が表示される。
具体例として、今回の入金金額が５０００円であった場合、現金の入金が完了した段階の入金残高表示領域ＡＲ１１においては、５１２０円が表示されている。
客は、入金残高表示領域ＡＲ１１に表示される入金残高が正しいことを確認すると、入金操作画面における「戻る」ボタンＢＴ１６を操作する。「戻る」ボタンＢＴ１６の操作に応じて、客用タッチパネル表示部１３３は、図６の商品登録状況画面の表示に切り替わる。このように商品登録状況画面の表示に切り替わった際には、登録商品表示領域ＡＲ１においては、そのときにおいて最後に登録された商品が反映され、合計金額表示領域ＡＲ２おいては、そのときまでに登録された商品の個数と合計金額が表示される。
なお、「戻る」ボタンＢＴ１６は、例えば入金操作画面を表示させたが、客が、入金金額選択ボタンを操作せずに電子マネーカード３００への入金を止めて商品登録状況画面に戻そうと思ったような場合にも操作することができる。
【００５８】
また、例えば、入金操作画面における入金金額選択ボタンの操作を行ってから、現金の入金をしている途中などにおいて、電子マネーカード３００への入金を中断したいと思ったような場合、客は、「取り消し」ボタンＢＴ１５を操作すればよい。
「取り消し」ボタンＢＴ１５の操作に応じて、ＣＰＵ１５１は、これまでの入金処理を中断する。具体的には、ＣＰＵ１５１は、これまでに入金された現金を貨幣投入排出部１２１ａから排出させ、客用タッチパネル表示部１３３における表示を商品登録状況画面に切り替える。
【００５９】
また、商品の登録が行われており、客用タッチパネル表示部１３３に商品登録状況画面（図６）が表示されている状態において、電子マネーカード３００の入金残高を確認したいと思ったとき、客は、入金残高確認ボタンＢＴ２に対するタッチ操作を行う。また、客は、リーダライタ１０９に電子マネーカード３００をかざすことで、リーダライタ１０９と電子マネーカード３００とが通信可能な状態とする。
【００６０】
上記のように入金残高確認ボタンＢＴ２に対してタッチ操作が行われ、リーダライタ１０９と電子マネーカード３００とが通信可能な状態となると、客用タッチパネル表示部１３３における表示は、商品登録状況画面から入金残高確認画面に切り替わる。
図８は、入金残高確認画面の一例を示している。同図の入金残高確認画面においては、入金残高表示領域ＡＲ２１が配置されている。入金残高表示領域ＡＲ２１においては、電子マネーカード３００の入金残高が表示される。入金残高表示領域ＡＲ２１において入金残高が表示される電子マネーカード３００は、リーダライタ１０９にかざされたことで、リーダライタ１０９からデータの読み込みが行われた電子マネーカード３００である。
【００６１】
また、入金残高確認画面においては入金指示ボタンＢＴ２１が配置されている。入金指示ボタンＢＴ２１は、電子マネーカード３００への入金を指示する操作が行われるボタンである。例えば、入金残高確認画面の入金残高表示領域ＡＲ２１に表示された入金残高が思っていたより少なかったために電子マネーカード３００への入金を行いたいと思った場合、客は、入金指示ボタンＢＴ２１に対するタッチ操作を行えばよい。
つまり、入金残高確認画面により入金残高を確認して電子マネーカード３００への入金を行う必要があると判断した場合には、同じ入金残高確認画面から入金指示操作を行うことができる。換言すれば、客は、客用タッチパネル表示部１３３における表示を入金残高確認画面から商品登録状況画面に戻して入金指示ボタンＢＴ１を操作するという面倒な手順を踏む必要がない。
【００６２】
入金残高確認画面における入金指示ボタンＢＴ２１に対するタッチ操作が行われると、客用タッチパネル表示部１３３における表示は、図８の入金残高確認画面から図７の入金操作画面に切り替わる。
そして、客は、表示された入金操作画面に対して前述と同様の操作を行って必要な金額を入金することができる。電子マネーカード３００への入金が完了すると、この場合にも、客用タッチパネル表示部１３３における表示は、図６の商品登録状況画面に戻る。このように商品登録状況画面の表示に切り替わった際にも、登録商品表示領域ＡＲ１においては、そのときにおいて最後に登録された商品が反映され、合計金額表示領域ＡＲ２おいては、そのときまでに登録された商品の個数と合計金額が表示される。
また、客は、入金残高確認画面が表示された状態から、電子マネーカードに入金することなく商品登録状況画面に戻したい場合には、「戻る」ボタンＢＴ２２を操作すればよい。
【００６３】
そして、商品の登録が完了すると、店員は、小計を出力させるための操作（小計操作：例えば、店員用タッチパネル表示部１３１またはキーボード１３２における小計ボタンに対する操作）を行う。小計操作に応じて、客用タッチパネル表示部１３３には、決済関連画面の１つである決済案内画面が表示される。
図９は、決済案内画面の一例を示している。同図の決済案内画面においては、支払金額提示領域ＡＲ３１が配置される。同図の支払金額提示領域ＡＲ３１においては、客に対応して登録された商品の個数と、登録された商品の合計金額とが示されている。支払金額提示領域ＡＲ３１において表示される合計金額が、客が支払うべき代金である。
【００６４】
客は、代金の支払（決済）を、現金と電子マネーカード３００のいずれかにより行うことができる。
まず、現金で決済を行う場合、客は、決済案内画面が表示されている状態のもとで、貨幣投入排出部１２１ａに代金としての現金を投入する。
このように貨幣投入排出部１２１ａに現金が投入されると、ＣＰＵ１５１は、決済方法として、現金による決済が選択されたと判定し、投入された現金に対応した決済処理（現金対応決済処理）を行う。
【００６５】
一方、電子マネーカード３００を使用して決済を行う場合、客は、決済案内画面における電子マネー決済選択ボタンＢＴ３１に対するタッチ操作を行う。電子マネー決済選択ボタンＢＴ３１に対する操作が行われると、ＣＰＵ１５１は、決済方法として電子マネーカード３００の使用が選択されたと判定し、電子マネーカード３００に対応する決済処理（電子マネー対応決済処理）を行う。
【００６６】
電子マネー決済選択ボタンＢＴ３１に対する操作が行われて電子マネー対応決済処理が行われることとなった場合、客用タッチパネル表示部１３３は、図９の決済案内画面から図１０の電子マネーカード使用案内画面の表示に切り替わる。
電子マネーカード使用案内画面においては、支払金額提示領域ＡＲ４１が配置される。
支払金額提示領域ＡＲ４１においては、決済案内画面における支払金額提示領域ＡＲ３１と同様に、客に対応して登録された商品の個数と、登録された商品の合計金額とが示される。
また、電子マネーカード使用案内画面においては、電子マネーカード３００がリーダライタ１０９と通信が可能な状態となるように、電子マネーカード３００をリーダライタ１０９にかざすことを客に促す案内が表示される。
【００６７】
そこで、客は、リーダライタ１０９に電子マネーカード３００をかざす。電子マネーカード３００がリーダライタ１０９にかざされて、電子マネーカード３００とリーダライタ１０９との間で通信が可能な状態となると、ＣＰＵ１５１は、電子マネー対応決済処理を実行する。
つまり、リーダライタ１０９は、電子マネーカード３００から例えば入金残高のデータなどの決済に必要なデータの読み出しを行い、読み出したデータをＣＰＵ１５１に出力する。そこで、ＣＰＵ１５１は、例えば入力されたデータが示す入金残高から小計金額を差し引き、リーダライタ１０９によって差し引き後の金額が入金残高として書き込まれるように制御を行う。
【００６８】
なお、リーダライタ１０９の故障などにより電子マネーカードの使用による決済が正常に行われないようなときには、客は、電子マネーカード使用案内画面において配置される店員呼出ボタンＢＴ４１に対するタッチ操作を行って店員を呼び出すことができる。店員呼出ボタンＢＴ４１に対する操作を行うと、例えば、店員用タッチパネル表示部１３１において通知が行われるなどして、客によって店員の呼び出しの行われたことが店員に知らされる。
【００６９】
電子マネー対応決済処理が完了すると、客用タッチパネル表示部１３３における表示は、図１０の電子マネーカード使用案内画面から図１１の電子マネー決済完了画面に切り替わる。
電子マネー決済完了画面においては、支払金額提示領域ＡＲ５１、決済前残高提示領域ＡＲ５２及び決済後残高提示領域ＡＲ５３が配置される。
支払金額提示領域ＡＲ５１においては、決済の対象となった商品の個数と合計金額（客が支払うべき代金）とが示される。
決済前残高提示領域ＡＲ５２においては、電子マネーカードの使用に対応する決済が行われる前の電子マネーカード３００の入金残高が示される。
決済後残高提示領域ＡＲ５３においては、電子マネーカードの使用に対応する決済が行われた後の電子マネーカード３００の入金残高が示される。
客は、支払金額提示領域ＡＲ５１、決済前残高提示領域ＡＲ５２及び決済後残高提示領域ＡＲ５３に表示された内容を見て、決済処理結果に間違いがないかどうかを確認できる。
なお、電子マネー決済完了画面には、決済処理結果が示されるレシートを客に受け取ってもらうようにするためのメッセージも表示される。
【００７０】
続いて、図１２のフローチャートを参照して、本実施形態のＰＯＳレジスタ１００が実行する処理手順例について説明する。
ステップＳ１０１：ＰＯＳレジスタ１００におけるＣＰＵ１５１は、１取引に対応する最初（一回目）の商品登録操作が行われるのを待機する。商品登録操作は、店員が店員用タッチパネル表示部１３１、キーボード１３２に対する操作や商品に貼り付けられたバーコードをスキャナ１０８により読み込ませる操作などである。
ステップＳ１０２：ステップＳ１０１に対応する最初の商品登録操作に応じて、ＣＰＵ１５１は最初の商品登録操作の対象となった商品についての商品登録処理を行う。商品登録処理は、例えば登録対象の商品の個数、商品名、価格（単価）などを取得する処理である。
ステップＳ１０３：また、ＣＰＵ１５１は、ステップＳ１０１に対応する最初の商品登録操作に応じて、客用タッチパネル表示部１３３に商品登録状況画面を表示させる。なお、ＣＰＵ１５１は、商品登録操作に応じて店員用タッチパネル表示部１３１にも商品登録の登録状況を示す画面を表示させる表示制御を行う。ただし、同図では、ＰＯＳレジスタ１００の処理についての説明を分かりやすくすることの便宜上、店員用タッチパネル表示部１３１に対応する表示制御の処理についての図示は省略している。
【００７１】
ステップＳ１０４：上記のように最初の商品登録操作に応じたステップＳ１０２及びステップＳ１０３の処理を実行した後、ＣＰＵ１５１は、２回目以降の商品登録操作が行われたか否かについて判定する。
ステップＳ１０５：ステップＳ１０４において２回目以降の商品登録操作が行われたことが判定された場合、ＣＰＵ１５１は、ステップＳ１０４に対応して行われた商品登録操作に応じて商品登録処理を実行する。
このとき、客用タッチパネル表示部１３３において商品登録状況画面が表示されていれば、ＣＰＵ１５１は、これまでに行われた商品登録処理の結果を登録商品表示領域ＡＲ１と合計金額表示領域ＡＲ２とにおいて反映させる。
【００７２】
ステップＳ１０６：ステップＳ１０５による商品登録処理を終了した後において、あるいは、ステップＳ１０４にて商品登録操作の行われなかったことが判定された場合、ＣＰＵ１５１は、入金確認指示操作が行われたか否かについて判定する。ここでの入金確認指示操作とは、図６の商品登録状況画面が表示されている状態において、商品登録状況画面にて配置される入金残高確認ボタンＢＴ２に対するタッチ操作が行われることである。
【００７３】
ステップＳ１０７：入金確認指示操作が行われた場合、ＣＰＵ１５１は、客用タッチパネル表示部１３３に図８の入金残高確認画面を表示させる処理を実行する。この際、ＣＰＵ１５１は、リーダライタ１０９によって電子マネーカード３００から読み込まれたデータに含まれる入金残高を取得する。ＣＰＵ１５１は、取得した入金残高の金額が入金残高表示領域ＡＲ２１において示された入金残高確認画面を客用タッチパネル表示部１３３に表示させる。
【００７４】
ステップＳ１０８：ステップＳ１０７により入金残高確認画面を表示させた後、ＣＰＵ１５１は、入金残高確認画面の表示を終了させる操作が行われたか否かについて判定する。入金残高確認画面の表示を終了させる操作とは、入金残高確認画面における「戻る」ボタンＢＴ２２に対する操作である。
【００７５】
ステップＳ１０９：入金残高確認画面の表示を終了させる操作が行われなかった場合、ＣＰＵ１５１は、さらに入金指示操作が行われたか否かについて判定する。ステップＳ１０９において判定される入金指示操作は、入金残高確認画面における入金指示ボタンＢＴ２１に対する操作である。入金指示操作が行われなかった場合、ＣＰＵ１５１は、ステップＳ１０８に処理を戻す。
【００７６】
ステップＳ１１０：また、先のステップＳ１０６において入金残高確認指示操作が行われなかった場合、ＣＰＵ１５１は、商品登録状況画面が表示された状態において入金指示操作が行われたか否かについて判定する。ステップＳ１１０において判定される入金指示操作は、商品登録状況画面における入金指示ボタンＢＴ１に対する操作である。
【００７７】
ステップＳ１１１：ステップＳ１０９とステップＳ１１０のいずれかにおいて入金指示操作が行われたことが判定されると、ＣＰＵ１５１は、入金処理を行う。
入金処理にあたり、ＣＰＵ１５１は、図７の入金操作画面を客用タッチパネル表示部１３３に表示させる。そして、ＣＰＵ１５１は、図７にて説明したように、入金金額選択ボタンに対するタッチ操作により選択された入金金額に応じた現金が貨幣投入排出部１２１ａに投入されると、電子マネーカード３００の入金残高を入金金額に応じて増加させる。
【００７８】
ステップＳ１１２：ステップＳ１１１による入金処理が完了した場合、または、ステップＳ１０８にて入金残高確認画面の表示を終了させる操作が行われた場合、ＣＰＵ１５１は、客用タッチパネル表示部１３３において、これまでの入金操作画面または入金残高確認画面の表示から商品登録状況画面の表示に切り替わるように制御する。
【００７９】
ステップＳ１１３：ステップＳ１１２の処理を実行した後において、あるいは、ステップＳ１１０にて入金指示操作が行われなかったことが判定された場合、ＣＰＵ１５１は、小計操作が行われたか否かについて判定する。小計操作は、前述のように、店員によって店員用タッチパネル表示部１３１またはキーボード１３２に対して行われる、これまでに登録された商品の小計の出力を指示する操作である。
小計操作の行われなかったことが判定された場合、ＣＰＵ１５１は、ステップＳ１０４に処理を戻す。
【００８０】
ステップＳ１１４：一方、ステップＳ１１３において小計操作の行われたことが判定された場合、ＣＰＵ１５１は、客用タッチパネル表示部１３３に、決済案内画面（図９）を表示させる。
ステップＳ１１５：決済案内画面が表示された状態のもとで、ＣＰＵ１５１は、決済方法（代金の支払い方法）として電子マネーと現金とのいずれが選択されたか否かについて判定する。
【００８１】
ステップＳ１１６：決済案内画面が表示された状態のもとで客が貨幣投入排出部１２１ａに代金としての現金を投入すると、釣銭機１２０から現金が投入されたことの通知（現金投入通知）がＣＰＵ１５１に対して送信される。
ＣＰＵ１５１は、現金投入通知を受信すると、決済方法として現金が選択されたと判定する。そこで、この場合のＣＰＵ１５１は、現金対応決済処理を実行する。つまり、ＣＰＵ１５１は、投入された現金の金額が代金と同じである場合には、投入された現金を支払金額として収受し、決済処理結果を示すレシートをプリンタ１０７により印刷させる。
また、投入された現金の金額が代金よりも大きい場合には、釣銭を貨幣投入排出部１２１ａから排出させるための制御を行ったうえで、釣銭に対応する処理を含む決済処理結果を示すレシートをプリンタ１０７により印刷させる。
【００８２】
ステップＳ１１７：一方、決済案内画面において配置される電子マネー決済選択ボタンＢＴ３１に対する操作が行われると、ＣＰＵ１５１は、電子マネーによる決済方法が選択されたことを判定する。そこで、この場合のＣＰＵ１５１は、電子マネー対応決済処理を行う。電子マネー対応決済処理のもとでは、ＣＰＵ１５１は、客用タッチパネル表示部１３３に電子マネーカード使用案内画面を表示させ、決済の完了に応じて電子マネー決済完了画面を表示させる。
【００８３】
上記のように処理が行われることで、１取引に応じた商品の登録が開始されてから小計操作が行われるまでの間（商品の登録が行われている間）において、客は、自身が行う操作によって電子マネーカード３００への入金と、電子マネーカード３００の入金残高の確認を行うことができる。
【００８４】
続いて、本実施形態の変形例について説明する。図１２に示した処理手順では、商品の登録が行われている間に電子マネーカード３００へのチャージが行われか否かに係わらず、客が電子マネーカード３００を使用して決済を行う場合には、決済案内画面にて電子マネーカード３００での決済を選択する操作（電子マネー決済選択ボタンＢＴ３１に対する操作）を行うようにされている。
しかし、商品の登録が行われている間に電子マネーカード３００へのチャージを行ったということは、客は、続けて電子マネーカード３００での決済を行おうとしていると捉えてよい。このようなことを考慮すると、商品の登録が行われている間に電子マネーカード３００へのチャージが行われた場合であっても、決済案内画面にて電子マネーカード３００での決済を選択する操作を客に行わせることは不要な手間をかけているということがいえる。
そこで、変形例としては、商品の登録が開始されてから小計操作が行われるまでの間に電子マネーカード３００への入金が行われた場合には、電子マネー対応決済処理が行われるように構成する。つまり、客からみれば、商品の登録中において電子マネーカード３００への入金を行った場合には、小計操作が行われると、そのままＰＯＳレジスタ１００が電子マネー対応決済処理に移行する。この際、客用タッチパネル表示部１３３においては、小計操作が行われると、例えば決済案内画面（図９）ではなく、電子マネーカード使用案内画面（図１０）が直ちに表示される。この場合、客は、決済案内画面にて電子マネーカード３００での決済を選択する操作（電子マネー決済選択ボタンＢＴ３１に対する操作）を行わなくともよい。
なお、電子マネー対応決済処理に移行する条件は、客が電子マネーカード３００への入金チャージを行うことに限らない。例えば、電子マネーカード３００がリーダライタ１０９を介して通信可能な状態（入金残高確認、または、ただ単に商品の登録が行われている間に電子マネーカード３００がリーダライタ１０９上に載置され、リーダライタ１０９を介して通信可能な状態）となることに応じて、客が電子マネーカード３００を使用して決済を行うために決済案内画面にて電子マネーカード３００での決済を選択する操作（電子マネー決済選択ボタンＢＴ３１に対する操作）を行ったとみなして、現金対応決済処理の実行を禁止し電子マネー対応決済処理が行われるように構成してもよい。
【００８５】
上記のような動作を実現するには、例えば図１２のステップＳ１１３により小計操作が行われたことが判定された場合に対応して、以下の処理を追加すればよい。
つまり、ＣＰＵ１５１は、ステップＳ１０１に対応して最初の商品登録操作が行われてからステップＳ１１３に対応して小計操作が行われるまでの間（商品登録期間）において電子マネーカード３００への入金が行われたか否かについて判定する。
電子マネーカード３００への入金が行われていなければ、ＣＰＵ１５１は、ステップＳ１１４に処理を進める。これに対して、電子マネーカード３００への入金が行われていなければ、ＣＰＵ１５１は、ステップＳ１１４及びステップＳ１１５の処理をスキップして、ステップＳ１１７の処理に移行する。
このようにＣＰＵ１５１が処理を行うことで、商品の登録中において電子マネーカード３００への入金が行われた場合には、客は、決済案内画面にて決済方法として電子マネーカード３００の使用を選択する操作を行わなくとも電子マネーカード３００での決済に進むことができる。
【００８６】
以上説明したように、本実施形態におけるＰＯＳレジスタ１００は、商品の登録に関する操作を含み、店員が行う操作を受け付ける店員操作受付手段と、登録された商品の決済に関連する操作を含み、客が行うべき操作を受け付ける客操作受付手段と、店員操作受付手段によって受け付けられる商品の登録に対応する客の取引が完了するまでの間において、電子マネー記憶媒体の入金残高管理に関連する処理を指示する操作を客操作受付手段が受け付けると、客操作受付手段が受け付けた指示に応じた電子マネー記憶媒体への処理を、リーダライタを介した電子マネー記憶媒体との通信を介して実行する電子マネー記憶媒体対応処理手段とを備える。
【００８７】
上記構成によれば、商品の登録に対応する客の取引が完了するまでの間において、客自身が操作を行って電子マネー記憶媒体の入金残高管理に関連する処理をＰＯＳレジスタ１００に実行させることが可能になる。従って、店員が行う商品登録等の操作（登録業務）に影響を与えることなく、客が電子マネー記憶媒体の入金残高管理に関して所望の結果を得ることができる。
【００８８】
また、本実施形態におけるＰＯＳレジスタ１００において、電子マネー記憶媒体対応処理手段は、店員操作受付手段によって受け付けられる商品の登録に対応する客の取引が完了するまでの間において、客が行う電子マネー記憶媒体への入金を指示する操作を客操作受付手段が受け付けると、電子マネー記憶媒体への入金に応じた処理をリーダライタとの通信を介して実行する。
【００８９】
上記構成によれば、商品の登録に対応する客の取引が完了するまでの間において、客自身が操作を行って、電子マネー記憶媒体の入金残高管理に関連する処理として、電子マネー記憶媒体への入金に応じた処理をＰＯＳレジスタ１００に実行させることができる。従って、店員が行う商品登録等の操作（登録業務）に影響を与えることなく、客が電子マネー記憶媒体の入金残高管理に関して所望の結果を得ることができる。
【００９０】
また、本実施形態におけるＰＯＳレジスタ１００において、電子マネー記憶媒体対応処理手段は、店員操作受付手段によって受け付けられる商品の登録に対応する客の取引が完了するまでの間において、客が行う電子マネー記憶媒体における入金金額の残高の確認を指示する操作を客操作受付手段が受け付けると、電子マネー記憶媒体の入金残高を客に通知する処理をリーダライタとの通信を介して実行する。
【００９１】
上記構成によれば、商品の登録に対応する客の取引が完了するまでの間において、客自身が操作を行って、電子マネー記憶媒体の入金残高管理に関連する処理として、電子マネー記憶媒体の入金残高を客に通知する処理をＰＯＳレジスタ１００に実行させることができる。つまり、客は、商品の登録を受けているときに、商品の登録と並行して自分が操作を行って電子マネーカードの入金残高を確認することが可能になる。従って、店員が行う商品登録等の操作（登録業務）に影響を与えることなく、客が電子マネー記憶媒体の入金残高管理に関して所望の結果を得ることができる。
【００９２】
また、本実施形態におけるＰＯＳレジスタ１００において、客操作受付手段は、店員操作受付手段により登録された商品に関する表示を行うとともに、電子マネー記憶媒体の入金残高管理に関連する処理を指示する操作を受け付けるようにされた商品登録状況表示手段をさらに備えてもよい。
【００９３】
上記構成によれば、ＰＯＳレジスタ１００において、客は、買い上げた商品についての登録状況が表示される商品登録状況画面を見ながら、同じ商品登録状況画面に対して電子マネー記憶媒体の入金残高管理に関連する処理を指示する操作を行うことが可能である。
これにより、客は、例えば商品の登録を受けているときに電子マネー記憶媒体の入金残高管理に関連する処理を指示する操作を行おうとする際に、商品登録状況画面から他の操作画面に遷移させるなどの操作の手間が不要になる。従って、店員が行う商品登録等の操作に影響を与えることなく、客が電子マネー記憶媒体の入金残高管理に関して所望の結果を得ることができる。
【００９４】
また、本実施形態におけるＰＯＳレジスタ１００において、客操作受付手段は、店員操作受付手段によって受け付けられる商品の登録に対応する客の取引が完了するまでの間において、少なくとも電子マネー記憶媒体への入金が行われた場合には、電子マネーによる決済を指定する操作を受け付けることなく、電子マネー記憶媒体に対応する決済処理を行ってもよい。
【００９５】
上記構成によれば、商品の登録に対応する客の取引が完了するまでの間において電子マネーカードへの入金を行った場合には、客は、電子マネーによる決済を指定する操作を行わなくとも電子マネーカードを使用した決済に進むことができる。これにより、電子マネーによる決済を指定する操作が省略され、決済までに要する時間を短縮できる。
【００９６】
また、本実施形態におけるＰＯＳレジスタ１００は、登録された商品の代金としての現金の入金が行われると、入金された現金に対応する現金対応決済処理を行い、電子マネーによる決済を指定する操作が客操作受付手段によって受け付けられると、リーダライタと通信を行う電子マネー記憶媒体の入金残高から代金を差し引く電子マネー対応決済処理を行う決済手段をさらに備える。
【００９７】
上記構成によれば、本実施形態におけるＰＯＳレジスタ１００は、現金による決済と、電子マネーカードの使用による決済とのそれぞれに対応して決済処理を行うことが可能になる。そのうえで、現金対応決済処理を行う場合、客は、特に現金対応決済処理を指定する操作を行わなくとも、客がＰＯＳレジスタ１００に現金を入金すれば、現金対応決済処理が指定されたものとして現金対応決済処理が行われるため、決済に要する時間を短縮することができる。
【００９８】
以下、本実施形態の変形例について説明する。
上記実施形態においては、商品の登録を受けている客が電子マネーカードの入金残高を確認しようとする場合、商品登録状況画面（図６）における入金残高確認ボタンＢＴ２に対する操作を行うようにされている。
しかし、例えばＰＯＳレジスタ１００により商品の登録処理が行われて商品登録状況画面が表示されているときにリーダライタ１０９に電子マネーカード３００がかざされて、リーダライタ１０９と電子マネーカード３００とが通信可能な状態になったことに応じて、電子マネーカードの入金残高が表示されるようにしてもよい。このような構成とすれば、客は入金残高の確認にあたって特に客用タッチパネル表示部１３３に対する操作を行う必要がなくなる。
なお、リーダライタ１０９と電子マネーカード３００とが通信可能な状態になったことに応じて電子マネーカードの入金残高を表示するにあたっては、商品登録状況画面から入金残高確認画面に表示が変更されるようにすればよい。あるいは、表示については入金残高確認画面に変更せずに商品登録状況画面のままとしたうえで、商品登録状況画面における所定位置にて入金残高が表示されるようにしてもよい。
【００９９】
また、例えば鉄道系の電子マネーカードでは、入金残高が予め設定された金額（実行金額）を下回った場合に改札の入場時などにおいて一定金額が入金されるようにした、オートチャージなどと呼ばれる機能（実行金額対応入金機能）が知られている。
そこで、本実施形態のＰＯＳレジスタ１００としては、上記のようなオートチャージ機能が設定されている電子マネーカードについて入金残高通知の処理を行った際に、確認された入金残高が実行金額未満であった場合に、客に入金を促すようにしてもよい。この際には、例えば図７の内容に準じたオートチャージ機能に対応の入金画面を客用タッチパネル表示部１３３に表示させればよい。
また、本実施形態のＰＯＳレジスタ１００としては、商品登録状況画面における入金指示ボタンＢＴ１に対する操作が行われなくとも、オートチャージ機能に対応の入金画面を客用タッチパネル表示部１３３に表示させずに、予め設定されている一定金額を自動的に電子マネーカードに入金してもよい。そのうえで、商品登録状況画面における所定位置にてオートチャージによる入金に応じた入金残高が表示されるようにしてもよい。この際、入金指示ボタンＢＴ１や入金残高確認ボタンＢＴ２については、商品登録状況画面にて表示させなくともよい。
このような構成により、客は、客用タッチパネル表示部１３３に対して操作を行う必要がなくなり、オートチャージによる入金が行われた後においても特に電子マネーカードの使用に応じた操作は不要となるため、例えば客による誤操作を防止することができる。
【０１００】
また、商品の登録が行われているときに、客によりリーダライタ１０９に電子マネーカード３００がかざされ、リーダライタ１０９と電子マネーカード３００とが通信可能な状態になった場合には、電子マネーカードを使用して決済を行うことの意思表示が客により行われたと捉えて、以下のように決済処理が行われるようにしてもよい。
つまり、リーダライタ１０９と電子マネーカード３００とが通信可能な状態になると、ＰＯＳレジスタ１００は、電子マネーカード３００の入金残高を仮登録する。そのうえで、ＰＯＳレジスタ１００は、商品の登録が行われるごとに、仮登録された入金残高から登録された商品の代金を差し引いて仮登録の入金残高を更新する。そして、更新された仮登録の入金残高が少なくなって、登録された商品の代金を差し引くことができなくなった場合には、ＰＯＳレジスタ１００は、客用タッチパネル表示部１３３に入金操作画面を表示して、客に入金を促す。入金が行われると、ＰＯＳレジスタ１００は、電子マネーカードの入金残高を入金金額に応じて更新し、仮登録の入金残高についても、入金残高に応じて増加させる。
そして、小計操作が行われて商品登録が完了したときには、ＰＯＳレジスタ１００は、電子マネーカードの入金残高から登録された商品の代金を差し引くようにする。なお、商品の登録とともに、更新される仮登録の入金残高を商品の登録ごとに画面上に表示させるようにしてもよい。
【０１０１】
また、店員が商品の登録操作を行う登録装置と客が精算を行う精算装置とが分離された構成のＰＯＳシステムが知られている。このようなＰＯＳシステム（商品販売データ処理システム）において、例えば以下のように構成することができる。
つまり、客が電子マネーカードで決済を行うにあたり、代金に対して入金残高が不足している場合、客は、登録装置を操作する店員に、電子マネーカードへの入金を申し出る。
店員は、商品の登録操作と並行して、客が申し出た入金金額を登録装置に仮登録する操作を行う。
そして、客は、精算装置において、先に申し出た入金金額に相当する現金の支払いを行う。精算装置は、支払われた現金を電子マネーカードの入金残高に加算して更新を行ったうえで、更新後の入金残高から登録された商品の代金を差し引くようにして決済を行う。
【０１０２】
なお、先の説明では、本実施形態のＰＯＳレジスタ１００がベーカリーで使用される場合を例に挙げた。しかし、本実施形態のＰＯＳレジスタ１００は、ベーカリー以外の多様な形態の店舗で使用されてよい。
【０１０３】
なお、上述のＰＯＳレジスタ１００としての機能を実現するためのプログラムをコンピュータ読み取り可能な記録媒体に記録して、この記録媒体に記録されたプログラムをコンピュータシステムに読み込ませ、実行することにより上述のＰＯＳレジスタ１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１０４】
１００  ＰＯＳレジスタ、１０１  釣銭機ユニット、１０３  操作ユニット、１０５  Ｐ
ＯＳレジスタ本体部、１０７  プリンタ、１０８  スキャナ、１０９  リーダライタ、１
１０  筐体、１２０  釣銭機、１２１ａ  貨幣投入排出部、１３１  店員用タッチパネル
表示部、１３２  キーボード、１３３  客用タッチパネル表示部、１３４  入出力部、１
５１  ＣＰＵ、１５２  ＲＡＭ、１５３  記憶部、１５４  入出力部、１５５  ネットワ
ークインターフェース、１５６  バス、３００  電子マネーカード
【図１】
2019160333.tif 000003
【図２】
2019160333.tif 000004
【図３】
2019160333.tif 000005
【図４】
2019160333.tif 000006
【図５】
2019160333.tif 000007
【図６】
2019160333.tif 000008
【図７】
2019160333.tif 000009
【図８】
2019160333.tif 000010
【図９】
2019160333.tif 000011
【図１０】
2019160333.tif 000012
【図１１】
2019160333.tif 000013
【図１２】
2019160333.tif 000014
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
商品の登録に関する操作を含み、店員が行う操作を受け付ける店員操作受付手段と、
登録された商品の決済に関連する操作を含み、客が行うべき操作を受け付ける客操作受付手段と、
前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段とを備え、
前記客操作受付手段は、
前記店員操作受付手段により登録された商品に関する表示と、電子マネー記憶媒体の入金残高についての表示とを行うとともに、電子マネー記憶媒体の入金残高管理に関連する処理を指示する操作を受け付けるようにされた商品登録状況表示手段をさらに備える
ＰＯＳレジスタ。
【請求項２】
前記商品登録状況表示手段は、
登録された商品に関する表示が行われる商品登録状況画面の所定位置にて、前記入金残高についての表示を行う
請求項１に記載のＰＯＳレジスタ。
【請求項３】
前記商品登録状況表示手段は、
リーダライタが電子マネー記憶媒体と通信可能な状態になったことに応じて、登録された商品に関する表示が行われる商品登録状況画面から、前記入金残高についての表示が行われる入金残高確認画面に表示を変更する
請求項１または２に記載のＰＯＳレジスタ。
【請求項４】
前記客操作受付手段は、
オートチャージ機能を有する電子マネー記憶媒体の入金残高が実行金額未満である場合に、客の入金の操作を受け付ける入金操作画面を表示する
請求項１から３のいずれか一項に記載のＰＯＳレジスタ。
【請求項５】
前記客操作受付手段は、
オートチャージ機能に対応して予め設定されている一定金額を電子マネー記憶媒体に入金し、登録された商品に関する表示が行われる商品登録状況画面における所定位置にて前記オートチャージ機能に対応する入金に応じた入金残高を表示する
請求項１から４のいずれか一項に記載のＰＯＳレジスタ。
【請求項６】
前記客操作受付手段は、
前記商品登録状況画面における所定位置にて前記オートチャージ機能に対応する入金に応じた入金残高を表示するにあたり、電子マネー記憶媒体の入金残高管理に関連する処理を指示する操作に応じた表示は行わない
請求項５に記載のＰＯＳレジスタ。
【請求項７】
コンピュータを、
商品の登録に関する操作を含み、店員が行う操作を受け付ける店員操作受付手段、
登録された商品の決済に関連する操作を含み、客が行うべき操作を受け付ける客操作受付手段、
前記店員操作受付手段によって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付手段が受け付けると、前記客操作受付手段が受け付けた指示に応じた電子マネー記憶媒体への処理を、リーダライタとの通信を介して実行する電子マネー記憶媒体対応処理手段として機能させるためのプログラムであって、
前記客操作受付手段は、
前記店員操作受付手段により登録された商品に関する表示と、電子マネー記憶媒体の入金残高についての表示とを行うとともに、電子マネー記憶媒体の入金残高管理に関連する処理を指示する操作を受け付けるようにされた商品登録状況表示手段をさらに備える
プログラム。
【請求項８】
ＰＯＳレジスタにおける電子マネー記憶媒体の処理方法であって、
商品の登録に関する操作を含み、店員が行う操作を受け付ける店員操作受付ステップと、
登録された商品の決済に関連する操作を含み、客が行うべき操作を受け付ける客操作受付ステップと、
前記店員操作受付ステップによって、１取引に対応する最初の商品を登録する操作が受け付けられてから、登録された商品の小計を指示する小計操作が受け付けられるまでの間において、電子マネー記憶媒体の入金残高管理に関連する処理を指示する操作を前記客操作受付ステップが受け付けると、前記客操作受付ステップが受け付けた指示に応じた電子マネー記憶媒体への処理を、リーダライタとの通信を介して実行する電子マネー記憶媒体対応処理ステップとを備え、
前記客操作受付ステップは、
前記店員操作受付ステップにより登録された商品に関する表示と、電子マネー記憶媒体の入金残高についての表示とを行うとともに、電子マネー記憶媒体の入金残高管理に関連する処理を指示する操作を受け付けるようにされた商品登録状況ステップをさらに含む
電子マネー記憶媒体の処理方法。